(57)【要約】【課題】加湿効率を高めるとともに装置の小型化を図ることができる加湿装置を提供する。【解決手段】円筒状のケース２０内に中空糸膜束３０が内包され、中空糸膜束３０の一端に第１流路壁４０、他端に第２流路壁５０がそれぞれ設けられ、第１流路壁４０と第２流路壁５０との間が水分交換部３２となっている。第１流路壁４０では、流入側バッファ部側の面４１と水分交換部３２側の面４２の両面が、また第２流路壁５０では、流出側バッファ部側の面５１と水分交換部３２側の面５２の両面が、それぞれ第１流体の流れ方向に対して同方向の傾斜を有して構成されている。【選択図】図２
2007187367.tif 000002
【特許請求の範囲】
【請求項１】
複数の中空糸膜を束ねた中空糸膜束を内包するケースと、
前記ケースの外部から流入した第１流体を複数の中空糸膜に流入させる流入側のバッファ部と、
前記流入側のバッファ部に隣接して前記中空糸膜の内側に第１流体を流入させる複数の開口部を有する第１の流路壁と、
前記複数の中空糸膜の内部から流出する第１流体をまとめて前記ケースの外部に流出させる流出側のバッファ部と、
前記流出側のバッファ部に隣接して前記中空糸膜の内側を通る第１流体を流出させる複数の開口部を有する第２の流路壁と、
前記ケースの外部から前記中空糸膜の外側へ第２流体を流入させる流入口と、
前記中空糸膜の外側から前記ケースの外部へ第２流体を流出させる流出口と、を備え、
前記中空糸膜の内側と外側に水分含有量の異なる第１流体と第２流体を流して水分交換を行う水分交換部を有する加湿装置において、
前記第１流路壁および前記第２流路壁の少なくとも一方において、前記バッファ部側の面と水分交換部側の面との両面が、前記中空糸膜の内側を流れる第１流体の流れ方向に対して同方向の傾斜を有して構成されていることを特徴とする加湿装置。
【請求項２】
前記中空糸膜の内側を流れる第１流体の流れ方向に対して前記中空糸膜の端部が斜めに形成され、この中空糸膜の端部は、前記流路壁と同方向の角度を成して構成されていることを特徴とする請求項１に記載の加湿装置。
【請求項３】
前記流入口と前記流出口は、前記中空糸膜の内側を流れる第１流体の流れ方向から見て、対極となる位置に配置されていることを特徴とする請求項１または請求項２に記載の加湿装置。
【請求項４】
前記流入側のバッファ部に設けられる第１流体を導入させる導入口、および前記流出側のバッファ部に設けられる第１流体を排出させる排出口は、前記流入側のバッファ部および流出側のバッファ部の奥行きの長い側に配置されていることを特徴とする請求項１から請求項３のいずれか１項に記載の加湿装置。
【発明の詳細な説明】
【技術分野】
【０００１】
本発明は、例えば燃料電池に供給するガスを加湿する加湿装置に係り、特に水透過性の中空糸膜を有する加湿装置に関する。
【背景技術】
【０００２】
例えば、固体高分子型の燃料電池を備えたシステムでは、燃料電池から排出される湿潤ガスを、燃料電池に供給されるガスと水分交換させるための加湿装置が用いられている。このような加湿装置としては、以下の特許文献１に記載のものが提案されている。
【特許文献１】特開２００４−６３０９号公報（段落００８０、図１７）
【発明の開示】
【発明が解決しようとする課題】
【０００３】
しかしながら、特許文献１のような加湿装置の構造では、円筒形状のケース内に設けられた中空糸膜の外側を通る流体を流れ難くさせる領域が発生するという問題がある。すなわち、図９を参照しながら説明すると、従来の加湿装置１００では、中空糸膜束１０１の両端の流路壁（ポッティング部）１０２と流路壁（ポッティング部）１０３との間において、中空糸膜の外側を通る流体が流れ易くなる領域（矢印参照）と、流れ難くなる領域（デッドスペース）とが生じ、中空糸膜の内側を通る流体の圧力損失を招く。その結果、加湿効率が低下してしまう。また、流路壁１０２，１０３に隣接して、加湿を行うための水分交換部とは別に、中空糸膜の内側に流体を導入するためのバッファ部や中空糸膜の内側から流体を排出させるためのバッファ部１０５を小さくする検討が充分になされておらず、加湿装置が大型化するという問題もある。
【０００４】
本発明は、前記従来の問題を解決するものであり、加湿効率を高めるとともに装置の小型化を図ることができる加湿装置を提供することを課題とする。
【課題を解決するための手段】
【０００５】
請求項１に係る発明は、複数の中空糸膜を束ねた中空糸膜束を内包するケースと、前記ケースの外部から流入した第１流体を複数の中空糸膜に流入させる流入側のバッファ部と、前記流入側のバッファ部に隣接して前記中空糸膜の内側に第１流体を流入させる複数の開口部を有する第１の流路壁と、前記複数の中空糸膜の内部から流出する第１流体をまとめて前記ケースの外部に流出させる流出側のバッファ部と、前記流出側のバッファ部に隣接して前記中空糸膜の内側を通る第１流体を流出させる複数の開口部を有する第２の流路壁と、前記ケースの外部から前記中空糸膜の外側へ第２流体を流入させる流入口と、前記中空糸膜の外側から前記ケースの外部へ第２流体を流出させる流出口と、を備え、前記中空糸膜の内側と外側に水分含有量の異なる第１流体と第２流体を流して水分交換を行う水分交換部を有する加湿装置において、前記第１流路壁および前記第２流路壁の少なくとも一方において、前記バッファ部側の面と水分交換部側の面との両面が、前記中空糸膜の内側を流れる第１流体の流れ方向に対して同方向の傾斜を有して構成されていることを特徴とする。
【０００６】
請求項１に係る発明によれば、中空糸膜の内側を流れる第１流体に対して、第１の流路壁および第２の流路壁の少なくとも一方を所定の角度をもって斜めに構成することにより、中空糸膜の外側に導入される第２流体が通りにくくなっている箇所（デッドスペース）を低減することができ、これにより空間効率を向上できる。さらに、流路壁を斜めに構成することにより、水分交換にほとんど寄与していなかった長さ分の中空糸膜を短く形成して、流路壁とケースとで囲まれる空間をバッファ部として使用することができるため、装置の小型化を図ることが可能になる。さらに、中空糸膜の長さを短縮できるので、中空糸膜の内側を通る第１流体の圧力損失を低減できる。
【０００７】
請求項２に係る発明は、前記中空糸膜の内側を流れる第１流体の流れ方向に対して前記中空糸膜の端部が斜めに形成され、前記中空糸膜の端部は、前記流路壁と同方向の角度を成して構成されていることを特徴とする。
【０００８】
請求項２に係る発明によれば、中空糸膜の端部の開口面積を拡大することができるので、中空糸膜の内部への第１流体の流入が容易となり、中空糸膜内の圧力損失が減少する。
【０００９】
請求項３に係る発明は、前記流入口と前記流出口は、前記中空糸膜の内側を流れる第１流体の流れ方向から見て、対極となる位置に配置されていることを特徴とする。
【００１０】
請求項３に係る発明によれば、中空糸膜の内側を流れる第１流体と外側を流れる第２流体との間で水分交換を行う距離を長くすることができるので、水分交換率を向上させることができる。
【００１１】
請求項４に係る発明は、前記流入側のバッファ部に設けられて第１流体が導入される導入口、および前記流出側のバッファ部に設けられて第１流体が排出される排出口は、前記流入側バッファ部および流出側バッファ部の奥行きの長い側に配置されていることを特徴とする。
【００１２】
請求項４に係る発明によれば、導入口が奥行きの長い側に配置されることにより、中空糸膜の内側に第１流体を流入させ易くなる。また、流入口と流出口とが対に配置されるものにおいて、導入口と排出口の双方が奥行きの長い側に配置されることにより、導入口側で流れ易いところが排出口側で流れ難くなり、逆に導入口側で流れ難いところが排出口側で流れ易くなるので、第１流体を各中空糸膜の全体に均一に流すことが可能になる。
【発明の効果】
【００１３】
本発明によれば、加湿効率を高めるとともに装置の小型化を図ることができる加湿装置を提供できる。
【発明を実施するための最良の形態】
【００１４】
以下、本発明の実施形態を図面を参照しながら具体的に説明する。本発明の実施形態に係る加湿装置について説明する前に、図１を例に挙げて、加湿装置を適用したシステムについて説明する。図１は本実施形態の加湿装置を備えた燃料電池システムの一例を示すブロック図である。
【００１５】
図１に示す燃料電池システムＦＣＳは、燃料電池１、空気供給装置ＡＳ、水素供給装置ＨＳなどから構成されている。
【００１６】
前記燃料電池１は、電解質膜を挟んでカソード極（酸素極）とアノード極（水素極）とに分けられ、それぞれの極側に白金属系の触媒を含んだ電極が設けられ、カソード電極およびアノード電極を形成している。また、この燃料電池１では、カソード電極に酸化剤ガスとして空気Ａが供給され、アノード電極に燃料ガスとして水素Ｈが供給されると、アノード電極で水素が触媒作用によりイオン化してプロトンと電子が生成され、生成されたプロトンは電解質膜中を移動してカソード電極に移動する。カソード電極に到達したプロトンは、触媒存在下、空気Ａ中の酸素と、電子と直ちに反応して水を生成する。生成した水及び酸素を含む空気Ａは、空気Ａｅとしてカソード極から排出される。また、アノード電極では、水素がイオン化する際に電子が生成されるが、この生成された電子は、外部負荷を経由してカソード電極に移動する。
【００１７】
前記空気供給装置ＡＳは、本発明の実施形態に係る加湿装置２の他に、エアクリーナ３、コンプレッサ４、圧力制御弁５などを有している。燃料電池１へ空気Ａを供給する流路には、燃料電池１の上流側に加湿装置２が配置され、この加湿装置２の上流側にコンプレッサ４が配置され、さらにコンプレッサ４の上流側にエアクリーナ３が配置されている。また、燃料電池から空気Ａｅを排出する流路には、燃料電池１の下流側に加湿装置２が配置され、その下流側に圧力制御弁５が配置されている。
【００１８】
前記加湿装置２は、エアクリーナ３で処理されてコンプレッサ４により供給される空気Ａを加湿して燃料電池１に供給するものであるが、その詳細については後述する。
【００１９】
前記エアクリーナ３は、図示しないフィルタなどから構成され、燃料電池１のカソード極側に供給される空気Ａを濾過して、供給される空気Ａ中に含まれるごみや油等を取り除く。
【００２０】
前記コンプレッサ４は、図示しないスーパーチャージャ等の容積型の圧縮機及びこれを駆動するモータなどから構成され、燃料電池１で酸化剤ガスとして使用される空気Ａを圧縮した後に送り出し、加湿装置２に供給するものである。このコンプレッサ４の送出力により、供給される空気Ａが、加湿装置２を経て燃料電池１のカソード極側に送り出され、燃料電池１を経た後に加湿装置２に送られる。
【００２１】
前記圧力制御弁５は、図示しないバラフライ弁及びこれを駆動するアクチュエータ（例えば、ステッピングモータ）などから構成され、燃料電池１から排出されるカソードオフガスの圧力を弁開度を減少または増加させることにより制御する。
【００２２】
一方、前記水素供給装置ＨＳは、水素ガスボンベ１１、レギュレータ１２、エゼクタ１３、パージ弁１４などから構成される。
【００２３】
前記水素ガスボンベ１１は、燃料電池１のアノード極側に導入される水素Ｈを貯蔵するものである。貯蔵する水素Ｈは高純度の水素であり、圧力は例えば１５〜３５ＭＰａである。なお、水素ガスボンベ１１は、水素吸蔵合金を内蔵し１ＭＰａ程度の圧力で水素を貯蔵する水素吸蔵合金タイプも使用することができる。
【００２４】
前記レギュレータ１２は、図示しないダイヤフラムや圧力調整バネなどから構成され、高圧で貯蔵された水素Ｈを所定の圧力まで減圧させ、一定圧力で使用できるようにする圧力制御弁である。
【００２５】
前記エゼクタ１３は、アノード極に供給される燃料ガスとしての水素を循環するための真空ポンプの１種であり、ノズル、ディフューザ、吸引室等から主要部が構成される。
【００２６】
前記パージ弁１４は、遮断弁であり、閉弁することにより、燃料電池１から排出された未反応の水素Ｈｅを、エゼクタ１３を介して再び燃料電池１に供給して燃料としての水素の利用効率を高めるようになっている。
【００２７】
このように構成された燃料電池システムＦＣＳでは、加湿装置２を経由して燃料電池１のカソード極を通過する空気Ａは、カソード極を通過する前に、燃料電池１の電解質膜を飽和湿度に湿らせる。また、アノード電極から電解質膜中を移動したプロトンがカソード電極に到達すると、触媒の存在下でプロトンと空気Ａ中の酸素とアノード電極で生成された電子が反応して水が生成される。生成された水は、燃料電池１から排出された空気Ａｓとともに、燃料電池１から排出され、燃料電池１の下流側に設けられた加湿装置２に供給される。この加湿装置２では、後記する各中空糸膜の内側を空気Ａｅが、外側を空気Ａが通過し、空気Ａｅから移動する水分によって空気Ａが加湿される。したがって、燃料電池１の安定した出力を得るためには、加湿装置２での加湿効率を高めることが有効になる。
【００２８】
以下、本発明の実施形態に係る加湿装置２について図面を参照しながら説明する。図２は本実施形態の加湿装置を示す透視斜視図、図３は図２のＡ矢視図、図４は図３のＢ−Ｂ断面図、図５（ａ）は本実施形態での中空糸膜の端部を示す拡大斜視図、（ｂ）は従来の実施形態での中空糸膜の端部を示す拡大斜視図、図６および図７は本実施形態の加湿装置の作用を説明するための概略図である。
【００２９】
図２に示すように、本実施形態の加湿装置２は、ケース２０、中空糸膜束３０、第１流路壁４０、第２流路壁５０などを有している。
【００３０】
前記ケース２０は、円筒形状の筒体２１と、この筒体２１の両端に形成された開口を塞ぐ円板状の蓋体２２、２３とを備えて構成されている。また、筒体２１の外周面には、第１流路壁４０の内側近傍においてケース２０の内部と連通する流入口２１ａが設けられ、第２流路壁５０の内側近傍においてケース２０の内側と連通する流出口２１ｂが設けられている。また、流入口２１ａと流出口２１ｂは、図３に示すように、第１流体の流通方向視において、対極となる位置に配置されている。この流入口２１ａから、燃料電池１のカソード極から排出された水分含有量の多い第２流体（空気Ａｅ）が導入され、流出口２１ｂから、加湿した後の第２流体が排出される。また、前記蓋体２２には、ケース２０の内部と連通する導入口２２ａが設けられ、蓋体２３には、ケース２０の内部と連通する排出口２３ａが設けられている。この導入口２２ａから、燃料電池１のカソード極に供給される前の乾燥した第１流体（空気Ａ）が導入され、排出口２３ａから、加湿された後の第１流体が排出される。
【００３１】
前記中空糸膜束３０は、複数の中空糸膜３１を束ねて構成されたものであり、ケース２０内において密になるように配置されている。各中空糸膜３１には、無数の毛管部が形成されており、中空糸膜３１の外側に導入される第２流体（空気Ａｅ）に含まれる水蒸気が毛管部内で凝縮し、中空糸膜３１の内側へ移動することで、水分が第１流体（空気Ａ）へ渡されるようになっている。なお、図２および図４では、説明の便宜上、実際より中空糸膜３１の本数を少なくし、中空糸膜３１同士の間隔を広げて図示している。
【００３２】
図４に示すように、前記第１流路壁４０は、いわゆるポッティング部と称されるものであり、中空糸膜束３０の一端（図中左側）に、各中空糸膜３１の外周面間、中空糸膜３１の外周面とケース２０（筒体２１）の内周面との間が、それぞれ閉塞されるように形成されている。このとき、第１流路壁４０の端面（後記する流入側バッファ部Ｒ１側の面４１）には、各中空糸膜３１による複数の開口部３１ａが現れるように形成されて、導入口２２ａから導入された第１流体が各中空糸膜３１の内側を通るようになっている。
【００３３】
前記第２流路壁５０は、前記第１流路壁４０と同様に、中空糸膜束３０の他端（図中右側）に、各中空糸膜３１の外周面間、中空糸膜３１の外周面とケース２０（筒体２１）の内周面との間が、それぞれ閉塞されているように形成されている。このとき、第２流路壁５０の端面（後記する流出側バッファ部Ｒ２側の面５１）には、各中空糸膜３１による複数の開口部３１ｂ（図３参照）が現れるように形成されて、各中空糸膜３１の内側を通過した第１流体が排出口２３ａから排出されるようになっている。
【００３４】
なお、前記第１流路壁４０と前記第２流路壁５０とで挟まれる領域（図２および図３の両矢印参照）が、水分交換を行う水分交換部３２として機能するようになっている。
【００３５】
また、前記第１流路壁４０は、第１流体の流れ方向に対して傾斜、つまり蓋体２２の内壁面に対して流入口２１ａから遠い側が離れるように傾斜して形成されて、第１流路壁４０とケース２０（筒体２１の一部および蓋体２２）とで囲まれる空間が流入側バッファ部Ｒ１としての役割を果たすように構成されている。さらに詳述すると、この第１流路壁４０は、流入側バッファ部Ｒ１側の面４１が第１流体の流れ方向に対して角度αを成して形成され、また水分交換部３２側の面４２が第１流体の流れ方向に対して同様に角度αを成して形成され、つまり、両面４１，４２が第１流体の流れ方向に対して同方向に傾斜するように構成されている。
【００３６】
また、前記第２流路壁５０は、第１流体の流れ方向に対して傾斜、つまり蓋体２３の内壁面に対して流出口２１ｂから遠い側が離れるように傾斜して形成されて、第２流路壁５０とケース２０（筒体２１の一部および蓋体２３）とで囲まれる空間が流出側バッファ部Ｒ２としての役割を果たすように構成されている。さらに、詳述すると、この第２流路壁５０は、流出側バッファ部Ｒ２側の面５１が第１流体の流れ方向に対して角度βを成して形成され、また水分交換部３２側の面５２が第１流体の流れ方向に対して同様に角度βを成して形成され、つまり、両面５１，５２が第１流体の流れ方向に対して同方向に傾斜するように構成されている。
【００３７】
なお、本実施形態では、第１流路壁４０の角度αと第２流路壁５０の角度βは、ほぼ同じ角度となるように形成されているが、必ずしも同じ角度である必要はなく、第２流体の流れ方に応じて、すなわちデッドスペースが極力少なくなるように異なる角度にしてもよい。
【００３８】
これにより、導入口２２ａから流入側バッファ部Ｒ１に導入された水分含有量の少ない第１流体（白抜き矢印）は、第１流路壁４０の各開口部３１ａから中空糸膜３１の内側を通って水分交換部３２を流れ、流入口２１ａから中空糸膜３１の外側を通って導入された水分含有量の多い第２流体との間で水分交換が行われて加湿された後に、第２流路壁５０の各開口部３１ｂから流出し、流出側バッファ部Ｒ２を通って排出口２３ａから排出される。また、流入口２１ａから導入されて第１流体を加湿した第２流体は、流出口２１ｂを通ってケース２０から排出される。
【００３９】
以上説明したように、本実施形態の加湿装置２では、第１流路壁４０および第２流路壁５０を、第１流体の流れに対して所定の角度を持って構成したことにより、従来、第２流体が流れ難くなることで生じていたデッドスペースを低減できるようになり、空間効率を高めることが可能になる。
【００４０】
また、本実施形態では、前記のようにケース２０内において第１流路壁４０および第２流路壁５０を斜めに構成したことにより、第１流路壁４０とケース２０との間に空間を形成し、この空間を流入側バッファ部Ｒ１として使用し、また第２流路壁５０とケース２０との間に空間を形成し、この空間を流出側バッファ部Ｒ２として使用することにより、加湿装置２の小型化が可能になる。つまり、加湿装置２の流入側バッファ部Ｒ１から流出側バッファ部Ｒ２までの長さ寸法をＬ１（図６参照）とし、従来の加湿装置１００の流入側バッファ部１０４から流出側バッファ部１０５までの長さ寸法をＬａ（図９参照）としたときに、Ｌ１＜Ｌａにできるので、加湿装置２の長手方向の寸法を短縮して小型化が可能となる。
【００４１】
また、本実施形態では、デッドスペースを低減することで各中空糸膜３１の長さを短縮できるので、中空糸膜３１の内側を通る第１流体の圧力損失を低減することが可能になり、第１流体を中空糸膜３１の内側に流入させ易くできる。つまり、加湿装置２における中空糸膜３１の長さ寸法をＬ２（図６参照）とし、図９に示すように、従来の加湿装置１００における中空糸膜の長さ寸法をＬｂ（図９参照）としたときに、Ｌ２＜Ｌｂとすることができるので、中空糸膜３１を短縮して第１流体に対する圧力損失を低減できる。
【００４２】
また、本実施形態では、第１流路壁４０において、各中空糸膜３１の端部を第１流体の流れ方向に対して斜めに形成したことにより、図５（ａ）に示すように、本実施形態の加湿装置２では中空糸膜３１の端部の開口部３１ａの形状が楕円形（開口面積Ｓ１）となる。また、中空糸膜３１の端部は、第１流路壁４０の流入側バッファ部Ｒ１側の面４１と同方向の角度α（図４参照）を成して構成されている。したがって、図５（ｂ）に示す従来の加湿装置１００での中空糸膜の端部の開口部の形状が円形（開口面積Ｓ２）となる場合と比べてその開口面積を大きくできる。よって、中空糸膜３１の内部への第１流体の流入が容易となる。
【００４３】
また、本実施形態では、図３に示すように、流入口２１ａと流出口２１ｂは、中空糸膜３１の内側を流れる第１流体の流れ方向（紙面に対して垂直方向）に対して対極となる位置に、つまり、流入口２１ａが図３の下端に形成され、流出口２１ｂが１８０度反対側の上端に配置されているので、中空糸膜３１の内側を流れる第１流体と外側を流れる第２流体とが水分交換を行う距離を長く設定することができるので、水分交換率を向上できるようになる。
【００４４】
また、本実施形態では、図４に示すように、第１流体をケース２０内に導入するための導入口２２ａを、流入側バッファ部Ｒ１の奥行きが長くなる側に配置することにより、第１流体を中空糸膜３１の内側に流入させ易くできる。また、導入口２２ａを流入側バッファ部Ｒ１の奥行きが長くなる側に配置するととともに、排出口２３ａを流出側バッファ部Ｒ２の奥行きが長くなる側に配置することにより、図７に示すように、流入側バッファ部Ｒ１側では、奥行きの長い側で第１流体を中空糸膜３１の内側に流入させ易く、奥行きの短い側で第１流体を流入させ難くなり、一方流出側バッファ部Ｒ２では、奥行きの短い側で第１流体を流出させ難く、奥行きの長い側で第１流体を流出させ易くなるので、圧力損失の配分が均等化されて、各中空糸膜３１の内側を通る流路全体にわたって第１流体を均等に流すことが可能になる。
【００４５】
図８は本実施形態の加湿装置の変形例を示す透視斜視図である。図８に示す加湿装置２Ａは、前記した加湿装置２と基本的な構造は同じであり、四角筒形状の筒体６１と、この筒体６１の両端の開口を塞ぐ四角板状の蓋体６２，６３とからなるケース６０内に、複数の中空糸膜３１からなる中空糸膜束３０と、第１流路壁７０と、第２流路壁８０とを備えている。第１流路壁７０と第２流路壁８０は、いずれもケース６０の形状に合わせて四角形状に形成され、第１流体の流れ方向（図示せず）に対して所定の角度を持つように斜めに形成されている。このような形状の加湿装置２Ａであっても、前記加湿装置２と同様な効果を有する。
【００４６】
なお、加湿装置のケース２０，６０の形状は、円筒や四角筒に限定されるものではなく、その他の形状であってもよい。また、ケース２０，６０は、長手方向に直線状に形成されるものに限定されず、湾曲した形状であってもよい。また、流入口２１ａと流出口２１ｂとを逆に配置して、第１流体と第２流体とが対向して流れるようにしてもよい。
【００４７】
また、前記した実施形態では、中空糸膜束３０の両端部に第１流路壁４０と第２流路壁５０を設けたが、第１流路壁４０と第２流路壁５０のいずれか一方であっても、デッドスペースを低減して空間効率を高めて水分交換率を向上できるようになる。
【図面の簡単な説明】
【００４８】
【図１】本実施形態の加湿装置を備えた燃料電池システムの一例を示すブロック図である。
【図２】本実施形態の加湿装置を示す透視斜視図である。
【図４】図２のＡ矢視図である。
【図３】図３のＢ−Ｂ断面図である。
【図５】（ａ）は本実施形態での中空糸膜の端部を示す拡大斜視図、（ｂ）は従来の実施形態での中空糸膜の端部を示す拡大斜視図である。
【図６】本実施形態の加湿装置の作用を説明するための概略図である。
【図７】本実施形態の加湿装置の別の作用を説明するための概略図である。
【図８】本実施形態の加湿装置の変形例を示す透視斜視図である。
【図９】従来の加湿装置の作用を説明するための概略図である。
【符号の説明】
【００４９】
２      加湿装置
２０    ケース
２１ａ  流入口
２１ｂ  流出口
２２ａ  導入口
２３ａ  排出口
３０    中空糸膜束
３１    中空糸膜
３１ａ  開口部
３２    水分交換部
４０    第１流路壁（第１の流路壁）
５０    第２流路壁（第２の流路壁）
４１，５１  バッファ部側の面
４２，５２  水分交換部側の面
Ｒ１    流入側バッファ部（流入側のバッファ部）
Ｒ２    流出側バッファ部（流出側のバッファ部）
【図１】
2007187367.tif 000003
【図２】
2007187367.tif 000004
【図３】
2007187367.tif 000005
【図４】
2007187367.tif 000006
【図５】
2007187367.tif 000007
【図６】
2007187367.tif 000008
【図７】
2007187367.tif 000009
【図８】
2007187367.tif 000010
【図９】
2007187367.tif 000011